(57)【要約】【課題】  本発明は、両端に電極部を備えた直線光源の発光端部からシールドケース外縁までの距離を小さくすると共に、電線から直線光源に伝播される負荷を軽減するようにした直下型バックライト装置を提供することを目的とする。【解決手段】  シールドケース１１内にて水平に、シールドケース上面に取り付けられたランプ支持台１６に支持されたランプソケット１６ａにより両端の電極部が保持された直線光源１２を含んでおり、上記直線光源の各電極部１２ａが、ランプソケット内にてシールドケースの外部まで引き回される電線１７の一端に接続されている、直下型バックライト装置１０であって、上記電線が、各ランプソケットから直線光源の中心軸に対して直角に引き出され、ランプ支持台内でこの電線を挟持する電線支持部１６ｃ，１６ｄを介して引き回されるように、直下型バックライト装置１０を構成する。【選択図】        図１
2005276538.tif 000002
【特許請求の範囲】
【請求項１】
シールドケース内にて水平に、シールドケース上面に取り付けられたランプ支持台に支持されたランプソケットにより両端の電極部が保持された直線光源を含んでおり、上記直線光源の各電極部が、ランプソケット内にてシールドケースの外部まで引き回される電線の一端に接続されている、直下型バックライト装置であって、
上記電線が、各ランプソケットから直線光源の中心軸に対して直角に引き出され、ランプ支持台内で、この電線を挟持する電線支持部を介して引き回されていることを特徴とする、直下型バックライト装置。
【請求項２】
上記電線が、各ランプソケットから、直線光源の中心軸に対して直角に上方に向かって引き出されていることを特徴とする、請求項１に記載の直下型バックライト装置。
【請求項３】
上記電線が、シールドケースの下面から外部に引き出されていることを特徴とする、請求項２に記載の直下型バックライト装置。
【請求項４】
上記電線のうち、グランド側の電線が、ランプ支持部内にて上側を引き回されたリターン線に対して接続されていることを特徴とする、請求項２に記載の直下型バックライト装置。
【請求項５】
上記リターン線が、少なくとも電線との接続部の領域にて、庇状の保護部材により覆われていることを特徴とする、請求項４に記載の直下型バックライト装置。
【請求項６】
上記電線が、各ランプソケットから、直線光源の中心軸に対して直角に側方に引き出され、シールドケースの下面から外部に引き出されていることを特徴とする、請求項１に記載の直下型バックライト装置。
【発明の詳細な説明】
【技術分野】
【０００１】
本発明は、直下型バックライト装置に関し、特に光源としてＣＦＬ等の直線光源を使用したバックライト装置の電線配置構造に関するものである。
【背景技術】
【０００２】
従来、このような光源としてＣＦＬを使用した直下型バックライト装置は、例えば図７及び図８に示すように、構成されている。
即ち、図７及び図８において、直下型バックライト装置１は、シールドケース２内にて水平に配置された光源としてのＣＦＬ３と、このＣＦＬ３の上方にて、シールドケース２の発光面を画成する窓部２ａの下方領域に配置された拡散板４及び拡散シート５と、上記ＣＦＬ３の下方にて、図示の場合シールドケース２の底面に配置された反射シート６と、を含んでいる。
【０００３】
上記ＣＦＬ３は、その両端が、ランプ支持台７を介してシールドケース２の上面から下方に延びるように取り付けられたランプソケット７ａにより支持されると共に、給電されて、発光するようになっている。
さらに、上記ＣＦＬ３は、ランプソケット７ａ内にて、その電極部３ａがハンダ付けまたはカシメ結合によって、給電のための電線８に接続されている。
【０００４】
この電線８は、ＣＦＬ３の中心軸の延長上にてランプソケット７ａから出た後、ほぼ直角に曲げられて、図示の場合下方に回り込んで、シールドケース２の下面から外部に延びており、ＣＦＬ３を駆動するための例えばインバータ回路等の駆動回路に接続されるようになっている。
【０００５】
このような構成の直下型バックライト装置１によれば、電線８を介してＣＦＬ３に駆動電圧が印加されると、ＣＦＬ３が駆動されて発光する。
そして、ＣＦＬ３から出射した光は、その一部がそのまま上方に向かって進み、また他の一部が下方に向かって進んで反射シート６で反射されて上方に向かって進み、拡散板４に入射して拡散され、さらに拡散シート５で拡散された後、シールドケース２の窓部２ａから外部に出射して上方に向かって進む。これにより、例えばシールドケース２の上方に配置された液晶表示装置等がバック照明されることになる。
【発明の開示】
【発明が解決しようとする課題】
【０００６】
ところで、このような直下型バックライト装置１においては、ＣＦＬ３に給電するための電線８が、ＣＦＬ３の両端からその中心軸の延長上に沿って延びている。このため、ＣＦＬ３の長手方向に関して、発光面の境界、即ちＣＦＬ３の発光端部からシールドケース２の外縁までの距離Ｘ１が比較的長くなる。
従って、直下型バックライト装置１におけるシールドケース２による額縁部分が太くなってしまい、所謂狭額縁にすることができず、見栄えが悪くなっていた。
【０００７】
また、上記電線８が、ＣＦＬ３の両端からその中心軸の延長上に沿って延びた後、ほぼ直角に曲げられて下方に延びていると共に、電線８自体は、特にシールドケース２に対して固定保持されていない。
従って、外部から電線８に対して負荷がかかると、この負荷による応力が直接にＣＦＬ３の電極部３ａに伝播することになる。
このため、ＣＦＬ３の電極部３ａと電線８との接続部のハンダ付けやカシメ結合が外れて、接触不良が発生したり、場合によってはＣＦＬ３の端部が破壊してしまうことがあった。
【０００８】
さらに、上述したＣＦＬ３の代わりに、両端に電極部を備えた他の直線光源を使用した場合にも同様の問題が発生する。
【０００９】
本発明は、以上の点から、ＣＦＬ等の両端に電極部を備えた直線光源の発光端部からシールドケース外縁までの距離を小さくすると共に、電線から直線光源に伝播される負荷を軽減するようにした、直下型バックライト装置を提供することを目的としている。
【課題を解決するための手段】
【００１０】
上記目的は、本発明によれば、シールドケース内にて水平に、シールドケース上面に取り付けられたランプ支持台に支持されたランプソケットにより両端の電極部が保持された直線光源を含んでおり、上記直線光源の各電極部が、ランプソケット内にてシールドケースの外部まで引き回される電線の一端に接続されている、直下型バックライト装置であって、上記電線が、各ランプソケットから直線光源の中心軸に対して直角に引き出され、ランプ支持台内でこの電線を挟持する電線支持部を介して引き回されていることを特徴とする、直下型バックライト装置により、達成される。
【００１１】
本発明による直下型バックライト装置は、好ましくは、上記電線が、各ランプソケットから、直線光源の中心軸に対して直角に上方に向かって引き出されている。
【００１２】
本発明による直下型バックライト装置は、好ましくは、上記電線が、シールドケースの下面から外部に引き出されている。
【００１３】
本発明による直下型バックライト装置は、好ましくは、上記電線のうち、グランド側の電線が、ランプ支持部内にて上側を引き回されたリターン線に対して接続されている。
【００１４】
本発明による直下型バックライト装置は、好ましくは、上記リターン線が、少なくとも電線との接続部の領域にて、庇状の保護部材により覆われている。
【００１５】
本発明による直下型バックライト装置は、好ましくは、上記電線が、各ランプソケットから、直線光源の中心軸に対して直角に側方に引き出され、シールドケースの下面から外部に引き出されている。
【発明の効果】
【００１６】
上記構成によれば、直線光源の両端の電極部に対してランプソケット内で接続される電線が、ランプソケットからランプ支持台内にて直線光源の中心軸に対して直角に、好ましくは上方または側方に引き出されているので、直線光源の中心軸の延長上に突出する電線部分がない。従って、直線光源の発光端部からシールドケースの外縁までの距離が短く構成され得る。
従って、シールドケース全体が小型に構成され得ると共に、シールドケースの発光面の境界から外縁までの所謂額縁部分が細く形成され得、狭額縁により見栄えが向上することになる。
【００１７】
また、上記電線がランプ支持台内でこの電線を挟持する電線支持部を介して引き回されていることにより、電線に対して外部から負荷が加えられたとしても、外部からの負荷による応力は、電線支持部により吸収されることになり、電線端部そして直線光源の電極部との接続部への応力が低減される。
従って、外部から電線に負荷が加えられたとしても、この応力が直線電源の電極部に殆ど伝播しないので、電線と直線電源の電極部との接続部のハンダ付けやカシメ結合等が外れて、接触不良が発生したり、直線電源の端部が破壊してしまうようなことがない。
特に、上記電線がランプソケットから上方に引き出されている場合には、電線の引回しにおける所謂沿面距離を大きくすることができるので、より安全性が高められ得ることになる。
【００１８】
上記電線が、シールドケースの下面から外部に引き出されている場合には、シールドケースの下面から外部に引き出された電線の他端が、例えば直線電源の駆動回路に対して容易に接続され得る。
【００１９】
上記電線のうち、グランド側の電線が、ランプ支持部内にて上側を引き回されたリターン線に対して接続されている場合には、グランド側の電線が、シールドケース内の上側部分に沿って引き回されることになり、＋側の電線との距離を大きくすることが可能になるので、絶縁性が向上し、安全性が高められ得ることになる。
【００２０】
上記リターン線が、少なくとも電線との接続部の領域にて、庇状の保護部材により覆われている場合には、リターン線特に電線との接続部の領域が、この庇状の保護部材により覆われることによって、接続部が表面に露出することがないので、より安全性が高められ得ることになる。
【００２１】
上記電線が、各ランプソケットから、直線光源の中心軸に対して直角に側方に引き出され、シールドケースの下面から外部に引き出されている場合には、直線光源の中心軸方向に関してシールドケースが小型に構成されるだけでなく、高さ方向に関してもシールドケースが小型に構成され得ることになる。
【００２２】
このようにして、本発明によれば、直線光源の両端の電極部に接続される電線が、ランプソケットからランプ支持台内にて直線光源の中心軸に対して直角に引き出されているので、直線光源の発光端部からシールドケースの外縁までの距離が短く構成され得る。これにより、シールドケース全体が小型に構成され得ると共に、シールドケースの発光面の境界から外縁までの所謂額縁部分が細く形成され得、狭額縁により見栄えが向上することになる。
また、上記電線がランプ支持台内で電線支持部を介して引き回されていることにより、電線に対して外部から加えられる負荷が上記電線支持部により吸収されるので、負荷による応力が直線電源の電極部に殆ど伝播しない。従って、電線と直線電源の電極部との接続部のハンダ付けやカシメ結合等が外れて、接触不良が発生したり、直線電源の端部が破壊してしまうようなことがない。
【発明を実施するための最良の形態】
【００２３】
以下、この発明の好適な実施形態を図１乃至図６を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【実施例１】
【００２４】
図１及び図２は、本発明による直下型バックライト装置の第一の実施形態の構成を示している。
図１及び図２において、直下型バックライト装置１０は、シールドケース１１内にて水平に配置された直線光源としてのＣＦＬ１２と、このＣＦＬ１２の上方にて、シールドケース１１の発光面を画成する窓部１１ａの下方領域に配置された拡散板１３及び拡散シート１４と、上記ＣＦＬ１２の下方にて、図示の場合シールドケース１１の底面に配置された反射シート１５と、を含んでいる。
【００２５】
上記ＣＦＬ１２は、図２に示すように、複数本が横に並んで配置されており、それぞれその両端が、ランプ支持台１６を介してシールドケース１１の上面から下方に延びるように取り付けられたランプソケット１６ａにより支持されると共に、給電されて、発光するようになっている。
ここで、上記ランプ支持台１６は、シールドケース１１の上面の内側に対して固定保持されており、図２に示すように、上記ＣＦＬ１２の中心軸に対して直角の水平方向に延びている。
さらに、上記ＣＦＬ１２は、ランプソケット１６ａ内にて、その電極部１２ａがハンダ付けまたはカシメ結合によって、給電のための電線１７に接続されている。
【００２６】
この電線１７は、その一端１７ａが上記ランプソケット１６ａ内にて、ＣＦＬ１２の電極部１２ａに接続されると共に、その自由端１７ｂが、シールドケース１１の下面から外部に延びており、ＣＦＬ１２を駆動するための例えばインバータ回路等の駆動回路（図示せず）に接続されるようになっている。
【００２７】
以上の構成は、図７及び図８に示した従来の直下型バックライト装置１と同様の構成であるが、本発明実施形態による直下型バックライト装置１０においては、以下の点で異なる構成になっている。
即ち、直下型バックライト装置１０においては、上記電線１７が、ランプソケット１６ａから、ＣＦＬ１２の中心軸から直角に上方に向かって引き出され、ランプ支持台１６の端面に設けられた凹陥部１６ｂ内にて、電線支持部１６ｃを介して下方に転回され、さらに下方に向かって電線支持部１６ｄを介して、シールドケース１１の下面から外部に延びている。
ここで、上記電線１７は、電線支持部１６ｃ及び１６ｄにより挟持されている。
【００２８】
上述した説明においては、ＣＦＬ１２の一方の端部における電線１７との接続についてのみ述べられているが、ＣＦＬ１２の他方の端部においても、同様の構成により電線１７との接続が行なわれている。
【００２９】
本発明実施形態による直下型バックライト装置１０は、以上のように構成されており、電線１７を介してＣＦＬ１２に駆動電圧が印加されると、ＣＦＬ１２が駆動されて発光する。
そして、ＣＦＬ１２から出射した光は、その一部がそのまま上方に向かって進み、また他の一部が下方に向かって進んで反射シート１５で反射されて上方に向かって進み、拡散板１３に入射して拡散され、さらに拡散シート１４で拡散された後、シールドケース１１の窓部１１ａから外部に出射して上方に向かって進む。これにより、例えばシールドケース１１の上方に配置された液晶表示装置等がバック照明されることになる。
【００３０】
この場合、直下型バックライト装置１０においては、ＣＦＬ１２に給電するための電線１７が、ランプソケット１６ａ内にて、ＣＦＬ１２の両端の電極部１２ａから、ＣＦＬ１２の中心軸に対して直角に上方に向かって延びている。
このため、ＣＦＬ１２の長手方向に関して、電線１７の引回しのスペースが不要であることから、発光面の境界、即ちＣＦＬ１２の発光端部からシールドケース１１の外縁までの距離Ｘ０が比較的短くなる。具体的には、例えば図７に示した従来の直下型バックライト装置１０における距離Ｘ１と比較して、約５乃至１０ｍｍ程度短くなる。
従って、直下型バックライト装置１０の外形を画成するシールドケース１１そして直下型バックライト装置１０自体が小型に構成され得ると共に、シールドケース１１の発光面の境界から外縁までの額縁部分が比較的細く形成され得るので、所謂狭額縁によって、見栄えが向上することになる。
【００３１】
また、上記電線１７がランプ支持台１６内で、電線支持部１６ｃ，１６ｄにより挟持されながら引き回されていることにより、電線１７に対して外部から負荷が加えられたとしても、外部からの負荷による応力は、上記電線支持部１６ｃ，１６ｄにより吸収されることになる。
従って、外部から電線に負荷が加えられたとしても、この応力がＣＦＬ１２の電極部１２ａに殆ど伝播しないので、電線１７とＣＦＬ１２の電極部１２ａとの接続部のハンダ付けやカシメ結合等が外れて、接触不良が発生したり、ＣＦＬ１２の端部が破壊してしまうようなことがない。
【００３２】
さらに、上記電線１７がランプソケット１６ａから上方に引き出された後、電線支持部１６ｃを介して転回されて下方に引き回されていることによって、電線１７の引回しによる所謂沿面距離を大きくすることができる。これにより、より安全性が高められ得ることになる。
【実施例２】
【００３３】
図３及び図４は、本発明による直下型バックライト装置の第二の実施形態の構成を示している。
図３及び図４において、直下型バックライト装置２０は、図１及び図２に示した直下型バックライト装置１０とほぼ同様の構成であり、同じ構成要素には同じ符号を付して、その説明を省略する。
上記直下型バックライト装置２０においては、ＣＦＬ１２の電極部１２ａは、図１及び図２に示した直下型バックライト装置１０におけるＣＦＬ１２の電極部１２ａと同様に、ランプソケット１６ａ内にて電線１７に接続されている。
【００３４】
そして、ＣＦＬ１２の一方の電極部１２ａに接続された電線１７が、図１及び図２に示す電線１７と同様にして、ランプソケット１６ａから上方に引き出され、電線支持部１６ｃ，１６ｄを介して下方に向かって引き回され、シールドケース１１の下面から外部に延びている。
これに対して、ＣＦＬ１２の他方のグランド側の電極部１２ｂに接続された電線２１は、図３及び図４に示すように、ランプソケット１６ａから上方に引き出され、電線支持部１６ｃを介して水平に引き回されて、隣接するＣＦＬ１２の他方の電極部１２ｂに接続された電線２１と一体になっている。
【００３５】
そして、ランプ支持台１６の凹陥部１６ａ内では、その上縁付近に沿って、リターン線２２が、各ＣＦＬ１２の他方の電極部１２ｂ付近を横切るように、水平に引き回されており、上記電線２１の中央付近にて、上記電線２１に対してハンダ付けにより接続されている。
尚、上記ランプ支持台１６は、上述した電線２１のリターン線２２に対するハンダ付けによる接続部２１ａが表面に露出しないように、このハンダ付け部分を覆うようにランプ支持台１６の上縁から下方に延びる庇状の保護部材１６ｅを備えている。
【００３６】
このような構成の直下型バックライト装置２０によれば、図１及び図２に示した直下型バックライト装置２０と同様に作用すると共に、グランド側の電線２１が、一本のリターン線２２に接続されることにより、リターン線２２により一括てグランドに接続され得ることになるので、電線２１の引回しが単純化されることになる。
【実施例３】
【００３７】
図５及び図６は、本発明による直下型バックライト装置の第三の実施形態を示している。
図５及び図６において、直下型バックライト装置３０は、図１及び図２に示した直下型バックライト装置１０とほぼ同様の構成であり、同じ構成要素には同じ符号を付して、その説明を省略する。
上記直下型バックライト装置３０においては、ＣＦＬ１２の電極部１２ａは、図１及び図２に示した直下型バックライト装置１０におけるＣＦＬ１２の電極部１２ａと同様に、ランプソケット１６ａ内にて電線１７に接続されている。
そして、ＣＦＬ１２の電極部１２ａに接続された電線１７は、この場合ランプソケット１６ａから水平に、図６にて右方に引き出され、電線支持部１６ｆを介して下方に向かって引き回され、シールドケース１１の下面から外部に延びている。
【００３８】
このような構成の直下型バックライト装置３０によれば、図１及び図２に示した直下型バックライト装置２０と同様に作用すると共に、ＣＦＬ１２に給電するための電線１７が、ランプソケット１６ａ内にて、ＣＦＬ１２の両端の電極部１２ａから、ＣＦＬ１２の中心軸に対して直角に水平に向かって延びている。
このため、ＣＦＬ１２の長手方向に関して、電線１７の引回しのスペースが不要であることから、発光面の境界、即ちＣＦＬ１２の発光端部からシールドケース１１の外縁までの距離Ｘ０が比較的短くなる。
また、上記電線１７がＣＦＬ１２の電極部１２ａとの接続部から上方に引き回されないことから、ＣＦＬ１２の中心軸より上方のスペースが少なくて済む。
従って、直下型バックライト装置１０の外形を画成するシールドケース１１そして直下型バックライト装置１０自体が小型そして薄型に構成され得ると共に、シールドケース１１の発光面の境界から外縁までの額縁部分が比較的細く形成され得るので、所謂狭額縁によって、見栄えが向上することになる。
【００３９】
また、上記電線１７がランプ支持台１６内で、電線支持部１６ｆにより挟持されながら引き回されていることにより、電線１７に対して外部から負荷が加えられたとしても、外部からの負荷による応力は、上記電線支持部１６ｆにより吸収されることになる。
従って、外部から電線に負荷が加えられたとしても、この応力がＣＦＬ１２の電極部１２ａに殆ど伝播しないので、電線１７とＣＦＬ１２の電極部１２ａとの接続部のハンダ付けやカシメ結合等が外れて、接触不良が発生したり、ＣＦＬ１２の端部が破壊してしまうようなことがない。
【産業上の利用可能性】
【００４０】
上述した実施形態においては、直線光源としてＣＦＬ１２を使用した場合について説明したが、これに限らず、両端に電極部を備える直線光源を使用した直立型バックライト装置に本発明を適用し得ることは明らかである。
また、上述した実施形態においては、複数本のＣＦＬ１２が横方向に並んで配置されているが、これに限らず、一方のＣＦＬ１２のみを有する直立型バックライト装置にも本発明を適用し得ることは明らかである。
さらに、上述した実施形態においては、ＣＦＬ１２の下方に反射シート１５を備えているが、これに限らず、シールドケース１１の内部底面が反射層を備え、あるいは反射面として構成されていてもよく、また反射シート１５は省略されてもよい。
また、上述した実施形態においては、ＣＦＬ１２の上方に拡散板１３及び拡散シート１４を備えているが、これに限らず、他の拡散部材を備えていてもよく、また拡散板１３及び拡散シート１４が省略されてもよい。
【００４１】
このようにして、本発明によれば、両端に電極部を備えた直線光源の発光端部からシールドケース外縁までの距離を小さくすると共に、電線から直線光源に伝播される負荷を軽減するようにした、直下型バックライト装置が提供され得る。
【図面の簡単な説明】
【００４２】
【図１】本発明による直下型バックライト装置の第一の実施形態の構成を示す要部断面図である。
【図２】図１の直下型バックライト装置におけるシールドケースを省略した端面図である。
【図３】本発明による直下型バックライト装置の第二の実施形態の構成を示す要部断面図である。
【図４】図３の直下型バックライト装置におけるシールドケースを省略した端面図である。
【図５】本発明による直下型バックライト装置の第三の実施形態の構成を示す要部断面図である。
【図６】図５の直下型バックライト装置におけるシールドケースを省略した端面図である。
【図７】従来の直下型バックライト装置の一例の構成を示す要部断面図である。
【図８】図７の直下型バックライト装置におけるシールドケースを省略した端面図である。
【符号の説明】
【００４３】
１０，２０，３０    直下型バックライト装置
１１    シールドケース
１１ａ  窓部
１２    ＣＦＬ（直線光源）
１２ａ，１２ｂ  電極部
１３    拡散板
１４    拡散シート
１５    反射シート
１６    ランプ支持台
１６ａ  ランプソケット
１６ｂ  凹陥部
１６ｃ，１６ｄ，１６ｆ  電線支持部
１６ｅ  庇状の保護部材
１７    電線
９，１９  半田部
２１    電線
２２    リターン線
【図１】
2005276538.tif 000003
【図２】
2005276538.tif 000004
【図３】
2005276538.tif 000005
【図４】
2005276538.tif 000006
【図５】
2005276538.tif 000007
【図６】
2005276538.tif 000008
【図７】
2005276538.tif 000009
【図８】
2005276538.tif 000010